(57)【特許請求の範囲】
【請求項１】
一つのキャビネットに取り付けられる第１〜第３スピーカがリスナー位置の側方に配設され、
第１スピーカの放射軸がリスナー位置よりも前方を指向し、
第２スピーカの放射軸がリスナー位置よりも後方を指向し、
第３スピーカの放射軸がリスナー位置を指向し、
音響信号入力用第１入力端子に、第３スピーカの第１入力端子、インダクタ及びキャパシタが接続され、
音響信号入力用第２入力端子に、第１スピーカの第２入力端子が接続され、
Ａ．インダクタとキャパシタのどちらかに、第１スピーカの第１入力端子と第３スピー カの第２入力端子を接続する第１選択スイッチと、
Ｂ．第１スピーカの第１入力端子と第１選択スイッチの接続中点に対し、第２スピーカ    の第１・第２入力端子を選択的に接続する第２選択スイッチと、
Ｃ．音響信号入力用第２入力端子に対し、第２スピーカの第１・第２入力端子を選択的    に接続する第３選択スイッチと、
Ｄ．一端が音響信号入力用第１入力端子に接続され、他端が第３スピーカの第２入力端 子に接続されて、第１選択スイッチによるインダクタの選択時に、第３スピーカから    出力される高音の音量を調整すると共に、第１選択スイッチによるキャパシタの選択    時に、第３スピーカから出力される低音の音量を調整する音量調整手段
が備えられ、
第１〜第３選択スイッチが連動して、
第１選択スイッチによりインダクタが選択された際に、第２選択スイッチにより第２スピーカの第１入力端子が選択されると共に、第３選択スイッチにより第２スピーカの第２入力端子が選択され、
第１選択スイッチによりキャパシタが選択された際に、第２選択スイッチにより第２スピーカの第２入力端子が選択されると共に、第３選択スイッチにより第２スピーカの第１入力端子が選択されることを特徴とするサラウンドスピーカシステム。
【請求項２】
音量調整手段により、第１選択スイッチによるインダクタの選択時に、第１・第２スピーカから放射される高音の音量を調整すると共に、第１選択スイッチによるキャパシタの選択時に、第１・第２スピーカから放射される低音の音量を調整する請求項１記載のサラウンドスピーカシステム。
【請求項３】
第１・第２スピーカの音量調整手段と第３スピーカの音量調整手段が、一方の音量増大時に他方の音量が減少するように、連動する請求項２記載のサラウンドスピーカシステム。
【発明の詳細な説明】
【０００１】
【発明の属する技術分野】
本発明は、Ａ／Ｖ（オーディオ／ビジュアル）システム等に使用されるサラウンドスピーカシステムに関する。
【０００２】
【従来の技術】
Ａ／Ｖシステムに使用されるサラウンドスピーカシステムには、▲１▼  図１２及び図１３に示すように、スピーカ２０が単一とされ、リスナー（リスナー位置）２３の側方に配設されて、その放射軸２４がリスナー２３を指向する直接放射方式（型）と、▲２▼  リスナー２３の側方に配設される２個のスピーカ２１，２２を使用して、これら放射軸２５，２６をリスナー２３に指向させず、一方のスピーカ２１の放射軸２５をリスナー２３よりも前方を指向させ、他方のスピーカ２２の放射軸２６をリスナー２３よりも後方を指向させる拡散方式（型）がある。
又、拡散方式には、▲１▼  図１４及び図１５に示すように、２個のスピーカ２１，２２が同位相（同相）に接続されたバイポール方式（型）と、▲２▼  図１６及び図１７に示すように、２個のスピーカ２１，２２が逆位相（逆相）に接続されたダイポール方式（型）がある。
【０００３】
ところで、スピーカ２０〜２２から放射（出力）される低音には、音像の定位要素である指向性があまりないため、直接放射方式では、図１２に示すように、スピーカ２０からの低音の放射パターン（音圧指向特性）は略半円状に形成される。
又、バイポール方式でも、２個のスピーカ２１，２２が同位相に接続されているため、図１４に示すように、両スピーカ２１，２２間では、これらから放射された低音同士が打ち消し合わずに、合体し、これにより、両スピーカ２１，２２からの低音の放射パターンは、単一の略半円状に形成される。
更に、ダイポール方式では、２個のスピーカ２１，２２が逆位相に接続されているため、図１６に示すように、両スピーカ２１，２２間では、これらから放射された低音同士が打ち消し合って、リスナー方向には低音が放射されず、各スピーカ２１，２２からの低音の放射パターンは、それぞれ、小さな半径の略半円状に形成される。
【０００４】
これに対し、スピーカ２０〜２２から放射される高音（中高音）は指向性が強いため、直接放射方式では、図１３に示すように、スピーカ２０からの高音の放射パターンは、「リスナー２３を指向する」放射軸２４を中心とした狭い範囲に形成される。
又、バイポール方式でも、図１５に示すように、２個のスピーカ２１，２２からの高音の放射パターンは、「リスナー２３よりも前方又は後方を指向する」各放射軸２５，２６を中心とした狭い範囲に形成されると共に、２個のスピーカ２１，２２が同位相に接続されているため、両スピーカ２１，２２間では、これらから放射された高音同士が打ち消し合うことがなく、両スピーカ２１，２２間には、リスナー２３を指向する小さな放射パターンも形成される。
更に、ダイポール方式でも、図１７に示すように、バイポール方式と同様に、２個のスピーカ２１，２２からの高音の放射パターンは、「リスナー２３よりも前方又は後方を指向する」各放射軸２５，２６を中心とした狭い範囲に形成される。しかし、ダイポール方式では、２個のスピーカ２１，２２が逆位相に接続されているため、両スピーカ２１，２２間では、これらから放射された高音同士が打ち消し合い、両スピーカ２１，２２間には、リスナー２３を指向する放射パターンは形成されない。
【０００５】
上記各方式は、低音と高音に関して、上記のような放射パターンを有しているため、一長一短の特徴を有する。例えば、直接放射方式では、「音像の定位要素である指向性が強い」高音の放射パターンがリスナー２３を指向しているのみならず、指向性があまりない低音の放射パターンもスピーカ２０を中心とする略半円状に形成されている（換言すれば、両スピーカ２１，２２から放射される低音や高音（再生音）における、リスナー２３への直接音成分が非常に大きい）。
そのため、直接放射方式は、再生音が環境音等であるモノラル再生時には、音像がリスナー２３の頭中に定位して、不自然であるとの問題がある。しかし、サラウンドステレオ再生時等において、音像をスピーカ位置等に定位させたい場合には、非常に有効である。又、スピーカ２０から放射される低音や高音における、リスナー２３への直接音成分が非常に大きいため、低音や高音の不足を感じることもない。
【０００６】
これに対し、ダイポール方式では、高音の放射パターンがリスナー２３を指向していないのみならず、低音の放射パターンも各スピーカ２１，２２を中心とする小さな略半円状に形成されている（換言すれば、両スピーカ２１，２２から放射される低音や高音における、リスナー２３への直接音成分が非常に小さく、リスナー２３を指向しない拡散音成分（間接音成分）が非常に大きい）ため、音像が定位しにくい。
従って、ダイポール方式は、サラウンドステレオ再生時等のように、音像をスピーカ位置等に定位させたい場合には、不適当である。しかし、再生音が環境音等であるモノラル再生時には、音像がリスナー２３の頭中に定位することを防止できて、好ましい。
【０００７】
これに対し、バイポール方式では、低音の放射パターンが両スピーカ２１，２２を中心とする略半円状に形成される。又、２個のスピーカ２１，２２からの高音の放射パターンは、「リスナー２３よりも前方又は後方を指向する」各放射軸２５，２６を中心とした狭い範囲に形成されると共に、両スピーカ２１，２２間には、リスナー２３を指向する小さな高音の放射パターンも形成される（換言すれば、両スピーカ２１，２２から放射される低音や高音には、リスナー２３への直接音成分のみならず、拡散音成分のどちらも含まれる）。
従って、バイポール方式は、直接放射方式とダイポール方式の中間方式であると言えると共に、低音の放射パターンが両スピーカ２１，２２を中心とする略半円状に形成されるため、低音の不足を感じることはない。
【０００８】
【発明が解決しようとする課題】
ところで、最近において、音響ソースの種類や特性、リスナーの好み、オーディオ再生を行う部屋の特性、スピーカのレイアウト等に応じて、バイポール方式とダイポール方式が選択可能なサラウンドスピーカシステムの実現が要望されている。
【０００９】
又、上記システムの実現の際には、従来のダイポール方式やバイポール方式における、下記の問題点の解決も要望されている。
即ち、従来のダイポール方式では、両スピーカ２１，２２から放射される低音や高音における、リスナー２３への直接音成分が非常に小さく、これがモノラル再生に有効であった。しかし、モノラル再生であっても、指向性のあまりない低音については、リスナー２３への直接音成分が大である方が良い場合があり、この場合に、低音の不足を感じるとの問題があった。
又、バイポール方式では、両スピーカ２１，２２から放射される低音や高音には、リスナー２３への直接音成分のみならず、拡散音成分のどちらも含まれるため、直接放射方式とダイポール方式の中間の特性を発揮できる。しかし、高音については、リスナー２３を指向する放射パターンとして、小さなものしか形成されないため、場合によっては、高音の不足を感じるとの問題があった。
【００１０】
本発明は、音響ソースの種類や特性、リスナーの好み、オーディオ再生を行う部屋の特性、スピーカのレイアウト等に応じて、ダイポール方式の特性を発揮できる第１方式と、バイポール方式の特性を発揮できる第２方式の何れかを選択できると共に、第１方式選択時には、放射される低音における、リスナーへの直接音成分を、又、第２方式選択時には、放射される高音における、リスナーへの直接音成分を、それぞれ、増減できるサラウンドスピーカシステムを提供することを目的とする。
【００１１】
【課題を解決するための手段】
上記目的を達成するために、本発明の特徴とするところは、一つのキャビネットに取り付けられる第１〜第３スピーカがリスナー位置の側方に配設されると共に、第１スピーカの放射軸がリスナー位置よりも前方を指向し、第２スピーカの放射軸がリスナー位置よりも後方を指向し、第３スピーカの放射軸がリスナー位置を指向し、音響信号入力用第１入力端子に、第３スピーカの第１入力端子、インダクタ及びキャパシタが接続され、音響信号入力用第２入力端子に、第１スピーカの第２入力端子が接続され、Ａ．インダクタとキャパシタのどちらかに、第１スピーカの第１入力端子と第３スピーカの第２入力端子を接続する第１選択スイッチと、Ｂ．第１スピーカの第１入力端子と第１選択スイッチの接続中点に対し、第２スピーカの第１・第２入力端子を選択的に接続する第２選択スイッチと、Ｃ．音響信号入力用第２入力端子に対し、第２スピーカの第１・第２入力端子を選択的に接続する第３選択スイッチと、Ｄ．一端が音響信号入力用第１入力端子に接続され、他端が第１スピーカの第１入力端子に接続されて、第１選択スイッチによるインダクタの選択時に、第３スピーカから出力される高音の音量を調整すると共に、第１選択スイッチによるキャパシタの選択時に、第３スピーカから出力される低音の音量を調整する音量調整手段が備えられ、第１〜第３選択スイッチが連動して、第１選択スイッチによりインダクタが選択された際に、第２選択スイッチにより第２スピーカの第１入力端子が選択されると共に、第３選択スイッチにより第２スピーカの第２入力端子が選択され、第１選択スイッチによりキャパシタが選択された際に、第２選択スイッチにより第２スピーカの第２入力端子が選択されると共に、第３選択スイッチにより第２スピーカの第１入力端子が選択された点にある。
尚、音量調整手段により、第１選択スイッチによるインダクタの選択時に、第１・第２スピーカから放射される高音の音量を調整すると共に、第１選択スイッチによるキャパシタの選択時に、第１・第２スピーカから放射される低音の音量を調整することもある。
又、第１・第２スピーカの音量調整手段と第３スピーカの音量調整手段が、一方の音量増大時に他方の音量が減少するように、連動することもある。
【００１２】
【発明の実施の形態】
以下、本発明の実施の形態の一例を図１〜図１１の図面に基づき説明すると、図１はサラウンドスピーカシステムを示す。図１において、１は音響信号入力用の＋側入力端子（第１入力端子）、２は音響信号入力用の−側入力端子（第２入力端子）である。＋側入力端子には、インダクタＬ及びキャパシタＣの各一端が、それぞれ、接続されている。
【００１３】
ＳＰ１〜ＳＰ３は第１〜第３スピーカで、図４、図５、図８及び図９に示すように、リスナー（リスナー位置）４の側方に配設されて、一つのキャビネットに取り付けられている。又、第１スピーカＳＰ１の放射軸５がリスナー４よりも前方（側）を指向し、第２スピーカＳＰ２の放射軸６がリスナー４よりも後方（側）を指向し、第３スピーカＳＰ３の放射軸７がリスナー４を指向している。各スピーカＳＰ１〜ＳＰ３は、それぞれ、＋側入力端子（第１入力端子）と、−側入力端子（第２入力端子）を有し、第１スピーカＳＰ１の−側入力端子が音響信号入力用の−側入力端子２に接続され、第３スピーカＳＰ３の＋側入力端子が音響信号入力用の＋側入力端子１に接続されている。
【００１４】
ＳＷ１〜ＳＷ３は、第１〜第３選択スイッチで、これらの操作により、ダイポール方式の特性を発揮できる第１方式と、バイポール方式の特性を発揮できる第２方式の何れかが選択される。
【００１５】
第１選択スイッチＳＷ１は、第１スピーカＳＰ１の＋側入力端子と第３スピーカＳＰ３の−側入力端子に対し、インダクタＬとキャパシタＣのどちらかの他端を接続するもので、インダクタＬとキャパシタＣの各他端に接続された端子Ｂ１，Ｄ１と、上記＋側入力端子に接続され且つ端子Ｂ１，Ｄ１に選択的に接続されるスイッチ部Ｆ１を有する。
第２選択スイッチＳＷ２は、第１スピーカＳＰ１の＋側入力端子と第１選択スイッチＳＷ１の接続中点に対し、第２スピーカＳＰ２の＋側・−側入力端子を選択的に接続するもので、第２スピーカＳＰ２の＋側・−側入力端子に接続された端子Ｂ２，Ｄ２と、上記接続中点に接続され且つ端子Ｂ２，Ｄ２に選択的に接続されるスイッチ部Ｆ２を有する。
第３選択スイッチＳＷ３は、音響信号入力用の−側入力端子２に対し、第２スピーカＳＰ２の−側・＋側入力端子を選択的に接続するもので、第２スピーカＳＰ２の−側・＋側入力端子に接続された端子Ｂ３，Ｄ３と、上記音響信号入力用の−側入力端子２に接続され且つ端子Ｂ３，Ｄ３に選択的に接続されるスイッチ部Ｆ３を有する。
【００１６】
図２に示すように、上記第１〜第３選択スイッチＳＷ１〜ＳＷ３の操作部９は合体されて、単一のスナップスイッチタイプとされることで、第１〜第３選択スイッチＳＷ１〜ＳＷ３は連動しており、各スイッチ部Ｆ１〜Ｆ３が各端子Ｂ１〜Ｂ３に接続された第１方式選択体勢と、各スイッチ部Ｆ１〜Ｆ３が各端子Ｄ１〜Ｄ３に接続された第２方式選択体勢の何れかの体勢に切り換え可能とされている。尚、図２では、分かり易くするために、第１方式をバイポール、第２方式をダイポールとして表示している。
【００１７】
そして、第１選択スイッチＳＷ１によるインダクタＬの選択時に、第１〜第３スピーカＳＰ１〜ＳＰ３から放射（出力）される高音の音量を調整すると共に、第１選択スイッチＳＷ１によるキャパシタＣの選択時に、第１〜第３スピーカＳＰ１〜ＳＰ３から放射（出力）される低音の音量を調整する音量調整手段として、可変抵抗器ＶＲが使用されている。可変抵抗器ＶＲの一端は、音響信号入力用の＋側入力端子１に接続されると共に、他端は、第１スピーカＳＰ１の＋側入力端子と第３スピーカＳＰ３の−側入力端子に接続されている。尚、図３に示すように、可変抵抗器ＶＲのツマミ１０は回動式とされている。又、図３では、可変抵抗器ＶＲの抵抗値が零である「ツマミ１０の操作位置」を「補正なし」（即ち、音量調整なし）と表示し、可変抵抗器ＶＲの抵抗値が最大である「ツマミ１０の操作位置」を「補正最大」（即ち、最大音量調整時）と表示している。
【００１８】
上記構成例では、音響ソースの種類や特性、リスナー４の好み、オーディオ再生を行う部屋の特性、スピーカのレイアウト等に応じて、バイポール方式の特性を発揮できる第１方式で、オーディオ再生を行う場合には、図１に示すように、第１〜第３選択スイッチＳＷ１〜ＳＷ３を第１方式選択体勢として、これら各スイッチ部１〜Ｆ３を各端子Ｂ１〜Ｂ３に接続する。これにより、インダクタＬが第１スピーカＳＰ１の＋側入力端子に接続されると共に、第１・第２スピーカＳＰ１，ＳＰ２が同位相且つ並列に接続され、しかも、第１・第２スピーカＳＰ１，ＳＰ２に対して第３スピーカＳＰ３が同位相に接続される。
【００１９】
この場合において、インダクタＬは、高域信号についてはインピーダンスが大であるが、低域信号についてはインピーダンスが小であることから、第１・第２各スピーカＳＰ１，ＳＰ２の両入力端子間の低域信号電圧が大となり、第３スピーカＳＰ３の両入力端子間の低域信号電圧が小となる。従って、第１・第２スピーカＳＰ１，ＳＰ２から放射される低音の音量（音圧）が（極めて）大となり、第３スピーカＳＰ３から放射される低音の音量が（極めて）小となる。
この際、低音については指向性があまりなく、しかも、第１・第２スピーカＳＰ１，ＳＰ２が同相に接続されて、両スピーカＳＰ１，ＳＰ２間で、これらから放射された低音同士が打ち消し合うことがないことから、図４に示すように、第１・第２スピーカＳＰ１，ＳＰ２（及び第３スピーカＳＰ３）からの低音の放射パターンが略半円状に形成される。
【００２０】
これに対し、音響信号入力用の両入力端子１，２間の高域信号電圧については、可変抵抗器ＶＲの調整により、第１・第２スピーカＳＰ１，ＳＰ２と、第３スピーカＳＰ３に対して、所望に分圧できる。従って、第１、第２スピーカＳＰ１，ＳＰ２の高音の音量（音圧）と、第３スピーカＳＰ３の高音の音量を所望に調整できると共に、この調整時に、第１・第２スピーカＳＰ１，ＳＰ２から放射される低音の音量と、第３スピーカＳＰ３から放射される低音の音量が変化することはない。
又、上記の際において、高音については指向性が強く、しかも、第１〜第３スピーカＳＰ１〜ＳＰ３が同相に接続されて、これらから放射された高音同士が打ち消し合わないことから、図５に示すように、各スピーカＳＰ１〜ＳＰ３からの高音の放射パターンは、各スピーカの放射軸５〜７を中心とする比較的狭い範囲に形成される。
【００２１】
上記のようにして、バイポール方式の特性を生かしながらオーディオ再生を行った場合に、第１・第２スピーカＳＰ１，ＳＰ２の高音の音量と、第３スピーカＳＰ３の高音の音量を所望に調整でき、例えば、「放射軸５，６がリスナー４よりも前方又は後方を指向する」第１・第２スピーカＳＰ１，ＳＰ２からの高音の音量を小とし、「放射軸７がリスナー４を指向する」第３スピーカＳＰ３からの高音の音量を大とすることで、スピーカＳＰ１〜ＳＰ３から放射される高音における拡散音成分を減少させながら、直接音成分を増大でき、必要に応じて、高音不足を解消できる。
【００２２】
これを更に、図６を用いて説明する。尚、図６に示す回路は、図１に示す回路と等価であって、図６において、Ｅs は音響信号入力用の両入力端子間の入力信号電圧、ＲL1は第１・第２スピーカの合成抵抗値、Ｖ1 は第１・第２各スピーカの両入力端子間の電圧、ＲL2は第３スピーカの抵抗値、Ｖ2 は第３スピーカの両入力端子間の電圧、Ｒは可変抵抗器の抵抗値、Ｌはインダクタのインダクタンス値である。
【００２３】
そして、入力信号の角周波数をω、Ｖ1 とＥs の比の値をＨ1 、Ｖ2 とＥs の比の値をＨ2 として、Ｈ1 ，Ｈ2 を求めると、下式となる。
Ｈ1 ＝Ｖ1 ／Ｅs ＝｛１＋（ｊω／ω2 ）｝／｛１＋（ｊω／ω1 ）｝
Ｈ2 ＝Ｖ2 ／Ｅs ＝（ｊω／ω3 ）／｛１＋（ｊω／ω1 ）｝
但し、ω1 ＝ＲＲL1ＲL2／Ｌ｛Ｒ（ＲL1＋ＲL2）＋ＲL1ＲL2｝
ω2 ＝ＲＲL2／｛Ｌ（Ｒ＋ＲL2）｝
ω3 ＝ＲL1／Ｌ
【００２４】
図７は「Ｈ1 とＨ2 の絶対値の対数」と「ωの対数」の関係を示すグラフであって、ｌｏｇ｜Ｈ1 ｜については、ω≦ω1 の時に、ｌｏｇ｜Ｈ1 ｜＝１となり、ω1 ＜ω＜ω2 の時に、ｌｏｇ｜Ｈ1 ｜が−６ｄＢ／ｏｃｔの傾きで減少し、ω2 ≦ωの時に、ｌｏｇ｜Ｈ1 ｜＝ω1 ／ω2 となる。又、ｌｏｇ｜Ｈ2 ｜については、ω≦ω1 の時に、ｌｏｇ｜Ｈ2 ｜が６ｄＢ／ｏｃｔの傾きで増大すると共に、ω1 ≦ωの時に、ｌｏｇ｜Ｈ2 ｜＝ω1 ／ω3 となる。尚、Ｒ＝０の時には、ｌｏｇ｜Ｈ1 ｜＝１となると共に、ｌｏｇ｜Ｈ2 ｜＝０となる。
【００２５】
又、ダイポール方式の特性を発揮できる第２方式で、オーディオ再生を行う場合には、図１とは逆に、第１〜第３選択スイッチＳＷ１〜ＳＷ３を第２方式選択体勢として、これら各スイッチ部１〜Ｆ３を各端子Ｄ１〜Ｄ３に接続する。これにより、キャパシタＣが第１スピーカＳＰ１の＋側入力端子に接続されると共に、第１・第２スピーカＳＰ１，ＳＰ２が逆位相且つ並列に接続される。又、第３スピーカＳＰ３は第１スピーカＳＰ１に対して同位相に接続されるが、第２スピーカＳＰ２に対しては逆位相に接続される。
【００２６】
この場合において、キャパシタＣは、低域信号についてはインピーダンスが大であるが、高域信号についてはインピーダンスが小であることから、第１・第２各スピーカＳＰ１，ＳＰ２の両入力端子間の高域信号電圧が大となり、第３スピーカＳＰ３の両入力端子間の高域信号電圧が小となる。従って、第１・第２スピーカＳＰ１，ＳＰ２から放射される高音の音量が（極めて）大となり、第３スピーカＳＰ３から放射される高音の音量が（極めて）小となる。
この際、高音については指向性が強いことから、図８に示すように、第１・第２スピーカＳＰ１，ＳＰ２からの高音の放射パターンは、第１・第２スピーカＳＰ１，ＳＰ２の放射軸５，６を中心とする狭い範囲に形成される。尚、第３スピーカＳＰ３から放射される高音の音量は小であるので、図８では、第３スピーカＳＰ３からの高音の放射パターンは省略した。
【００２７】
これに対し、音響信号入力用の両入力端子１，２間の低域信号電圧については、可変抵抗器ＶＲの調整により、第１、第２スピーカＳＰ１，ＳＰ２と、第３スピーカＳＰ３に対して、所望に分圧できる。従って、第１・第２スピーカＳＰ１，ＳＰ２から放射される低音の音量と、第３スピーカＳＰ３から放射される低音の音量を所望に調整できると共に、この調整時に、第１・第２スピーカＳＰ１，ＳＰ２から放射される高音の音量と、第３スピーカＳＰ３から放射される高音の音量は変化しない。
又、上記の際において、低音については指向性があまりなく、しかも、第１・第３スピーカＳＰ１，ＳＰ３が同位相に接続されて、両スピーカＳＰ１，ＳＰ３間では、これらから放射された低音同士が打ち消し合わずに、合体するので、図９に示すように、両スピーカＳＰ１，ＳＰ３からの低音の放射パターンは、略半円形を形成する。これに対し、第２スピーカＳＰ２と第３スピーカＳＰ３は逆位相に接続されているので、両スピーカＳＰ２，ＳＰ３間では、これらから放射された低音同士が打ち消し合うことになり、第２スピーカＳＰ２からの低音の放射パターンは、その放射軸６を中心とする比較的狭い範囲に形成される。
【００２８】
上記のようにして、ダイポール方式の特性を生かしながらオーディオ再生を行った場合に、第１・第２スピーカＳＰ１，ＳＰ２の低音の音量と、第３スピーカＳＰ３の低音の音量を所望に調整でき、例えば、「放射軸５，６がリスナー４よりも前方又は後方を指向する」第１・第２スピーカＳＰ１，ＳＰ２からの低音の音量を小とし、「放射軸７がリスナー４を指向する」第３スピーカＳＰ３からの低音の音量を大とすることで、スピーカＳＰ１〜ＳＰ３から放射される低音における拡散音成分を減少させながら、直接音成分を増大でき、必要に応じて、低音不足を解消できる。
【００２９】
これを更に、図１０を用いて説明する。尚、図１０に示す回路は、第１〜第３選択スイッチを第２方式選択体勢とした際における、図１の等価回路であって、図１０と図６の記号は略同じであるが、図１０のＣはキャパシタのキャパシタンス値である。この場合も、入力信号の角周波数をω、Ｖ1 とＥs の比の値をＨ1 、Ｖ2 とＥs の比の値をＨ2 として、Ｈ1 ，Ｈ2 を求めると、下式となる。
Ｈ1 ＝Ｖ1 ／Ｅs ＝ω6 ｛１＋（ｊω／ω5 ）｝／｛１＋（ｊω／ω4 ）｝
Ｈ2 ＝Ｖ2 ／Ｅs ＝ω7 ／｛１＋（ｊω／ω4 ）｝
但し、ω4 ＝｛Ｒ（ＲL1＋ＲL2）＋ＲL1ＲL2｝／ＣＲＲL1ＲL2
ω5 ＝（Ｒ＋ＲL2）／ＣＲＲL2
ω6 ＝｛ＲL1（Ｒ＋ＲL2）｝／｛Ｒ（ＲL1＋ＲL2）＋ＲL1ＲL2｝
ω7 ＝ＲＲL2／｛Ｒ（ＲL1＋ＲL2）＋ＲL1ＲL2｝
【００３０】
図１１は、上記Ｈ1 とＨ2 の絶対値の対数とωの対数の関係を示すグラフであって、ｌｏｇ｜Ｈ1 ｜については、ω≦ω5 の時に、ｌｏｇ｜Ｈ1 ｜＝ω6 となると共に、ω5 ＜ω＜ω4 の時に、ｌｏｇ｜Ｈ1 ｜が６ｄＢ／ｏｃｔの傾きで増大し、ω4 ≦ωの時に、ｌｏｇ｜Ｈ1 ｜＝１となる。又、ｌｏｇ｜Ｈ2 ｜については、ω≦ω4 の時に、ｌｏｇ｜Ｈ2 ｜＝ω7 となると共に、ω4 ＜ωの時に、ｌｏｇ｜Ｈ2 ｜は、−６ｄＢ／ｏｃｔの傾きで減少する。尚、Ｒ＝０の時には、ｌｏｇ｜Ｈ1 ｜＝１となると共に、ｌｏｇ｜Ｈ2 ｜＝０となる。
【００３１】
尚、上記実施の形態では、第１入力端子を＋側入力端子とし、第２入力端子を−側入力端子としたが、これを逆にする場合もある。又、本発明では、信号ラインを不平衡（アンバランス）タイプとしてもよいが、信号ラインを平衡（バランス）タイプとして、各入力端子をホット側端子やコールド側端子としてもよい。
【００３２】
【発明の効果】
以上詳述したように、本発明によれば、音響ソースの種類や特性、リスナーの好み、オーディオ再生を行う部屋の特性、スピーカのレイアウト等に応じて、ダイポール方式の特性を発揮できる第１方式と、バイポール方式の特性を発揮できる第２方式の何れかを選択できる。又、第１方式選択時には、放射される低音における、直接音成分を増減でき、必要に応じて、低音不足を解消できると共に、第２方式選択時には、放射される高音における、直接音成分を増減でき、必要に応じて、高音不足を解消できる。
【００３３】
又、第１方式選択時において、放射される低音における、直接音成分を増減させた場合でも、各スピーカから放射される高音の音量変化を防止できると共に、第２方式選択時において、放射される高音における、直接音成分を増減させた場合でも、各スピーカから放射される低音の音量変化を防止できる。
【図面の簡単な説明】
【図１】本発明の実施の形態の一例を示す回路図である。
【図２】図１の選択スイッチの操作部を示す斜視図である。
【図３】図１の可変抵抗器のツマミを示す正面図である。
【図４】本発明の実施の形態の一例の低音の放射パターン例を示す説明図である。
【図５】本発明の実施の形態の一例の高音の放射パターン例を示す説明図である。
【図６】図１の等価回路である。
【図７】本発明の実施の形態の一例の角周波数と各スピーカからの再生音の音量の関係を説明するためのグラフである。
【図８】本発明の実施の形態の一例の高音の放射パターン例を示す説明図である。
【図９】本発明の実施の形態の一例の低音の放射パターン例を示す説明図である。
【図１０】選択スイッチを切り換えた際の図１の等価回路である。
【図１１】本発明の実施の形態の一例の角周波数と各スピーカからの再生音の音量の関係を説明するためのグラフである。
【図１２】従来一例の低音の放射パターン例を示す説明図である。
【図１３】従来一例の高音の放射パターン例を示す説明図である。
【図１４】従来一例の低音の放射パターン例を示す説明図である。
【図１５】従来一例の高音の放射パターン例を示す説明図である。
【図１６】従来一例の低音の放射パターン例を示す説明図である。
【図１７】従来一例の高音の放射パターン例を示す説明図である。
【符号の説明】
１，２  音響信号入力用＋側・−側入力端子（第１・第２入力端子）
５〜７  放射軸
Ｃ  キャパシタ
Ｌ  インダクタ
ＳＰ１〜ＳＰ３  第１〜第３スピーカ
ＳＷ１〜ＳＷ３  第１〜第３選択スイッチ
ＶＲ  可変抵抗器
【図１】
0003899636.tif 000002
【図２】
0003899636.tif 000003
【図３】
0003899636.tif 000004
【図４】
0003899636.tif 000005
【図５】
0003899636.tif 000006
【図６】
0003899636.tif 000007
【図７】
0003899636.tif 000008
【図８】
0003899636.tif 000009
【図９】
0003899636.tif 000010
【図１０】
0003899636.tif 000011
【図１１】
0003899636.tif 000012
【図１２】
0003899636.tif 000013
【図１３】
0003899636.tif 000014
【図１４】
0003899636.tif 000015
【図１５】
0003899636.tif 000016
【図１６】
0003899636.tif 000017
【図１７】
0003899636.tif 000018